(57)【特許請求の範囲】
【請求項１】
第１のチャネル数による第１のチャネル伝送を行う場合、信号光チャネルから所定の波長範囲内にある無信号チャネルにおいて自然放出光が透過するよう減衰量を制御する光伝送装置において、
後段の光伝送装置のドロップするチャネルの情報を記憶した記憶部と、
前記第１のチャネル数よりもチャネル数の多い第２のチャネル伝送から前記第１のチャネル伝送への切り替わりを判断する判断部と、
前記判断部の前記判断に応じて前記記憶部を参照し、前記第１のチャネル伝送の信号光チャネルから所定の波長範囲内にある無信号チャネルが前記後段の光伝送装置でドロップされるチャネルである場合、ドロップされる無信号チャネルの減衰量を所定値より大きくする制御部と、
を有することを特徴とする光伝送装置。
【請求項２】
前記制御部は、前記第１のチャネル伝送の信号光チャネルから所定の波長範囲内にある無信号チャネルが、前記第２のチャネル伝送から前記第１のチャネル伝送へ切り替わる前、信号光チャネルであったか否か判断することを特徴とする請求項１記載の光伝送装置。
【請求項３】
当該光伝送装置でドロップするチャネルの情報を前段の光伝送装置に送信する送信部をさらに有することを特徴とする請求項１又は２に記載の光伝送装置。
【請求項４】
前記送信部は、ＯＳＣ光によって当該光伝送装置でドロップするチャネルの情報を前記前段の光伝送装置に送信することを特徴とする請求項３記載の光伝送装置。
【請求項５】
当該光伝送装置でドロップするチャネルの情報をネットワーク管理装置に送信する送信部をさらに有し、
当該光伝送装置でドロップするチャネルの情報は、前記ネットワーク管理装置によって前段の光伝送装置に送信されることを特徴とする請求項１又は２に記載の光伝送装置。
【請求項６】
当該光伝送装置でドロップするチャネルの情報は、ＧＭＰＬＳによって前記ネットワーク管理装置に送信されることを特徴とする請求項５記載の光伝送装置。
【請求項７】
各チャネルのパワーを制御する光減衰器を備えた波長選択スイッチを複数有し、
前記判断部は、前記波長選択スイッチのそれぞれから出力される信号光をモニタして、前記第２のチャネル伝送から前記第１のチャネル伝送への切り替わりを判断し、
前記制御部は、前記波長選択スイッチのそれぞれにおいて、前記判断部の前記判断に応じて前記記憶部を参照し、前記光減衰器の減衰量を制御することを特徴とする請求項１又は２に記載の光伝送装置。
【請求項８】
前記記憶部は、前記後段の光伝送装置がインライン光伝送装置である場合、前記インライン光伝送装置の後段の光伝送装置のドロップするチャネルの情報を記憶することを特徴とする請求項１又は２に記載の光伝送装置。
【請求項９】
第１のチャネル数による第１のチャネル伝送を行う場合、信号光チャネルから所定の波長範囲内にある無信号チャネルにおいて自然放出光が透過するよう減衰量を制御する光伝送装置の光減衰量制御方法において、
前記第１のチャネル数よりもチャネル数の多い第２のチャネル伝送から前記第１のチャネル伝送への切り替わりを判断し、
前記判断に応じて後段の光伝送装置のドロップするチャネルの情報を記憶した記憶部を参照し、前記第１のチャネル伝送の信号光チャネルから所定の波長範囲内にある無信号チャネルが前記後段の光伝送装置でドロップされるチャネルである場合、前記後段の光伝送装置でドロップされる無信号チャネルの減衰量を所定値より大きくする、
ことを特徴とする光減衰量制御方法。
【発明の詳細な説明】
【技術分野】
【０００１】
本件は、信号光を伝送する光伝送装置及びその光減衰量制御方法に関する。
【背景技術】
【０００２】
近年、通信トラフィックの増加を背景として、光波長多重（ＷＤＭ：Wavelength Division Multiplex）の光伝送装置の導入が進んでおり、この光伝送装置を用いたリングネットワークやメッシュネットワークが増加している。
【０００３】
このような光ネットワークにおいて少数チャネル伝送が運用される場合、その少数チャネルは、偏波ホールバーニング（ＰＨＢ：Polarization Hole-Burning）の影響により光ＳＮ比（ＯＳＮＲ：Optical Signal-to-Noise Ratio）が劣化し、伝送特性劣化を引き起こすことが知られている。
【０００４】
そこで、ＰＨＢの影響を少なくし、ＯＳＮＲの劣化を抑制する光伝送装置が提案されている（例えば、特許文献１参照）。この光伝送装置は、信号が立っていないチャネル（無信号チャネル）のうち、信号が立っているチャネル（信号光チャネル）と隣接するチャネルの光減衰器（ＶＯＡ：Variable Optical Attenuator）の減衰量を小さくし、上流における増幅で発生した自然放出光（ＡＳＥ：Amplified Spontaneous Emission）を透過させることによりＰＨＢの抑圧を実現する。
【０００５】
光ネットワークでは、ファイバ抜けや回線断等の通信障害を回避するために現用系と予備系の冗長回線を有している。冗長回線には、例えば、ＯＵＰＳＲ（Optical Unidirectional Path Switched Ring）がある。光伝送装置は、信号光のパワーを監視し、信号光のパワーが所定の閾値以下になると回線断等の通信障害が発生したと判断し、回線を現用系から予備系に切替える。
【先行技術文献】
【特許文献】
【０００６】
【特許文献１】特開２００９−２９０５９３号公報
【発明の概要】
【発明が解決しようとする課題】
【０００７】
しかし、従来の光伝送装置では、例えば、回線断等の通信障害で多数チャネル伝送から少数チャネル伝送に切り替わった場合、信号光チャネルから無信号チャネルになったチャネルにＡＳＥ光を透過させる場合がある。この場合、下流の光伝送装置では、透過するＡＳＥ光によって信号光が透過していると判断し、回線断等の通信障害を検出できず、冗長回線の切替えを行うことができないという問題点があった。
【０００８】
本件はこのような点に鑑みてなされたものであり、多数チャネル伝送から少数チャネル伝送に切り替わっても通信障害を検出することができる光伝送装置及び光減衰量制御方法を提供することを目的とする。
【課題を解決するための手段】
【０００９】
上記課題を解決するために、第１のチャネル数による第１のチャネル伝送を行う場合、信号光チャネルから所定の波長範囲内にある無信号チャネルにおいて自然放出光が透過するよう減衰量を制御する光伝送装置が提供される。この光伝送装置は、後段の光伝送装置のドロップするチャネルの情報を記憶した記憶部と、前記第１のチャネル数よりもチャネル数の多い第２のチャネル伝送から前記第１のチャネル伝送への切り替わりを判断する判断部と、前記判断部の前記判断に応じて前記記憶部を参照し、前記第１のチャネル伝送の信号光チャネルから所定の波長範囲内にある無信号チャネルが前記後段の光伝送装置でドロップされるチャネルである場合、ドロップされる無信号チャネルの減衰量を所定値より大きくする制御部と、を有する。
【発明の効果】
【００１０】
開示の装置及び方法によれば、多数チャネル伝送から少数チャネル伝送に切り替わっても通信障害を検出することができる。
【図面の簡単な説明】
【００１１】
【図１】第１の実施の形態に係る光伝送装置を示した図である。
【図２】少数チャネル伝送を行う光ネットワークの例を示した図である。
【図３】多数チャネル伝送を行う光ネットワークの例を示した図である。
【図４】図３の光ネットワークにおいて回線断が発生した例を示した図である。
【図５】通信障害検出の例を説明する図である。
【図６】第２の実施の形態に係る光伝送装置を適用した光ネットワークを示した図である。
【図７】ノードのブロック図のその１である。
【図８】ＶＯＡ制御部のブロック図である。
【図９】ノードのブロック図のその２である。
【図１０】下流ノード情報記憶部に記憶されるチャネル設定情報の構成例を示した図のその１である。
【図１１】下流ノード情報記憶部に記憶されるチャネル設定情報の構成例を示した図のその２である。
【図１２】下流ノード情報記憶部に記憶されるチャネル設定情報の構成例を示した図のその３である。
【図１３】下流ノード情報記憶部に記憶されるチャネル設定情報の構成例を示した図のその４である。
【図１４】チャネル設定情報の通知動作を示したフローチャートである。
【図１５】ＶＯＡ制御部の動作を示したフローチャートである。
【図１６】ＯＸＣノードを含む光ネットワークの例を示した図である。
【図１７】第３の実施の形態に係る光伝送装置を適用した光ネットワークを示した図である。
【図１８】ＯＸＣノードのブロック図である。
【図１９】下流ノード情報記憶部に記憶されるチャネル設定情報の構成例を示した図のその１である。
【図２０】下流ノード情報記憶部に記憶されるチャネル設定情報の構成例を示した図のその２である。
【図２１】下流ノード情報記憶部に記憶されるチャネル設定情報の構成例を示した図のその３である。
【図２２】下流ノード情報記憶部に記憶されるチャネル設定情報の構成例を示した図のその４である。
【図２３】第４の実施の形態に係る光伝送装置を適用した光ネットワークを示した図である。
【図２４】インラインノードのブロック図を示した図である。
【図２５】下流ノード情報記憶部に記憶されるチャネル設定情報の構成例を示した図のその１である。
【図２６】下流ノード情報記憶部に記憶されるチャネル設定情報の構成例を示した図のその２である。
【図２７】下流ノード情報記憶部に記憶されるチャネル設定情報の構成例を示した図のその３である。
【図２８】第５の実施の形態に係る光伝送装置を適用した光ネットワークを示した図である。
【図２９】ＮＭ装置の動作を示したフローチャートである。
【図３０】第６の実施の形態に係る光伝送装置を適用した光ネットワークを示した図である。
【図３１】ＮＭ装置の動作を示したフローチャートである。
【発明を実施するための形態】
【００１２】
以下、第１の実施の形態を、図面を参照して詳細に説明する。
図１は、第１の実施の形態に係る光伝送装置を示した図である。図１には、光伝送装置であるノード１と、ノード１の信号光を受信するノード１の後段に接続されたノード２が示してある。ノード１，２及び図示していないノードは、例えば、ＯＵＰＳＲのリングネットワークやメッシュネットワークを形成している。
【００１３】
ノード１は、記憶部１ａ、判断部１ｂ、制御部１ｃ、及びＯＡＤＭ（Optical Add Drop Multiplexer）１ｄを有している。ノード２及び図示しないノードもノード１と同様の機能を有している。ノード１，２は、第１のチャネル数による少数チャネル伝送（ＰＨＢの影響を受けてＯＳＮＲが劣化する１チャネルの光伝送又は近隣のチャネルが数チャネル集まったチャネルの光伝送）を行う場合、その少数チャネル伝送の信号光チャネルから所定の波長範囲内にある無信号チャネルにおいてＡＳＥ光が透過するよう減衰量を制御する。
【００１４】
ＯＡＤＭ１ｄは、信号光をアッド・ドロップする。ＯＡＤＭ１ｄは、光減衰器を有しており、チャネルごとに減衰量を制御できる。
記憶部１ａは、後段のノード２のドロップするチャネルの情報を記憶する。例えば、後段のノード２が、チャネルａ，ｂをドロップする場合、記憶部１ａには、後段のノード２ではチャネルａ，ｂがドロップされる旨の情報が記憶される。
【００１５】
判断部１ｂは、第１のチャネル数よりもチャネル数の多い多数チャネル伝送から少数チャネル伝送への切り替わりを判断する。例えば、判断部１ｂは、ＯＡＤＭ１ｄから出力される信号光のチャネルごとのパワーを監視し、多数チャネル伝送から少数チャネル伝送への切り替わりを判断する。
【００１６】
多数チャネル伝送から少数チャネル伝送への切り替わりは、例えば、ノード１の上流で発生した回線断等の通信障害によって生じる。例えば、判断部１ｂは、チャネルａ，ｂ，ｃ（チャネルａ，ｂ，ｃは隣接チャネルとする）の信号光の伝送を検出していたとする。そして、ノード１の上流の回線断によって、チャネルａ，ｃが伝送されなくなったとする。この場合、判断部１ｂは、チャネルａ，ｂ，ｃの検出から、チャネルｂの検出に切り替わることになり、多数チャネル伝送から少数チャネル伝送への切り替わりを判断する。
【００１７】
制御部１ｃは、判断部１ｂの判断に応じて記憶部１ａを参照し、少数チャネル伝送の信号光チャネルから所定の波長範囲内にある無信号チャネルが後段のノード２でドロップされるチャネルである場合、その無信号チャネルの減衰量を所定値より大きくする。制御部１ｃは、例えば、ＯＡＤＭ１ｄの有する減衰器を制御して、ノード２でドロップされる無信号チャネルの減衰量を所定値より大きくする。
【００１８】
例えば、上記例のように上流での回線断によって、チャネルａ，ｂ，ｃの多数チャネル伝送から、チャネルｂの少数チャネル伝送に切り替わったとする。また、チャネルａ，ｂは、後段のノード２でドロップされるチャネルとし、記憶部１ａには、チャネルａ，ｂの情報が記憶されているとする。この場合、判断部１ｂは、少数チャネル伝送の信号光チャネル‘ｂ’に隣接する（所定の波長範囲内にある）、ノード２でドロップされる無信号チャネル‘ａ’の減衰量を所定値より大きくする。減衰量の所定値は、例えば、後段のノード２において、チャネルａで信号光が伝送されていないと判断されるパワーとなる値である。
【００１９】
これにより、ノード２でドロップされるチャネルａのパワーは小さくなり、ノード２は、チャネルａの信号光が通信障害によって伝送されていないことを認識できる。そして、ノード２は、現用系から予備系の回線に切替えることができる。
【００２０】
なお、チャネルａが後段のノード２でドロップされるチャネルでない場合は、制御部１ｃは、ＡＳＥ光が透過するよう、チャネルａの減衰量を小さくする。
このように、ノード１は、多数チャネル伝送から少数チャネル伝送への切り替わりを判断し、少数チャネル伝送の信号光チャネルから所定の波長範囲内にある無信号チャネルが後段のノード２でドロップされるチャネルである場合、その無信号チャネルの減衰量を所定値より大きくするようにした。
【００２１】
これにより、後段のノード２は、上流で発生した回線断等の通信障害を検出することができる。また、ノード２は、通信障害を検出することにより、回線を現用系から予備系に切替えることができる。
【００２２】
次に、第２の実施の形態を、図面を参照して詳細に説明する。その前に下流のノードが、透過するＡＳＥ光によって信号光が透過していると判断し、回線断等の通信障害を検出できない例について説明する。
【００２３】
図２は、少数チャネル伝送を行う光ネットワークの例を示した図である。図２に示すように、光ネットワークは、光伝送装置であるノード１１〜１５を有している。図２の光ネットワークでは、図示を省略しているが、例えば、ＯＵＰＳＲのリングネットワークやメッシュネットワークを形成している。
【００２４】
ノード１１は、上流から受信した信号光を増幅するプリアンプ１１ａ、信号光をアッド・ドロップするＯＡＤＭ１１ｂ、及びアッド・ドロップされた信号光を増幅して下流に出力するポストアンプ１１ｃを有している。ノード１２〜１５もノード１１と同様のプリアンプ、ＯＡＤＭ、及びポストアンプを有している。
【００２５】
ノード１１には、送信機２１が接続され、ノード１５には、送信機２１の信号を受信する受信機２２が接続されている。ノード１１は、伝送されている信号光にチャネルａの信号光をアッドし、チャネルａの信号光にて送信機２１の信号を伝送する。このチャネルａの信号光は、ノード１２〜１４を経由してノード１５に伝送され、ノード１５は、チャネルａの信号光をドロップし、受信機２２に出力する。なお、図２では、チャネルａの１波による少数チャネル伝送の例を示している。
【００２６】
図２には、ノード１１〜１５間の伝送路における信号光のスペクトルＳＰ１１〜ＳＰ１４が示してある。また、受信機２２で受信される信号光のスペクトルＳＰ１５が示してある。図２の光ネットワークは、少数チャネル伝送であるため、ノード１１〜１４は、チャネルａの近くのチャネルの減衰量を、例えば、チャネルａの減衰量より小さくし、プリアンプ及びポストアンプで発生するＡＳＥ光を透過させる。
【００２７】
例えば、ノード１１〜１４は、スペクトルＳＰ１１〜ＳＰ１４に示すように、チャネルａに隣接するチャネルａ−１，ａ＋１の減衰量を小さくする。これにより、チャネルａの信号光は、ＰＨＢの影響が低減され、ＯＳＮＲの劣化が抑制される。
【００２８】
図３は、多数チャネル伝送を行う光ネットワークの例を示した図である。図３において、図２と同じものには同じ符号を付し、その説明を省略する。
図３では、図２に対し、ノード１１に送信機２３が接続され、ノード１２に送信機２４が接続されている。また、ノード１５に送信機２４の信号を受信する受信機２５が接続されている。
【００２９】
ノード１１は、伝送されている信号光にチャネルｃの信号光をアッドし、チャネルｃの信号光にて送信機２３の信号を伝送する。ノード１２は、伝送されている信号光にチャネルｂの信号光をアッドし、チャネルｂの信号光にて送信機２４の信号を伝送する。ノード１５は、チャネルａの信号光をドロップして受信機２２に出力し、チャネルｂの信号光をドロップして受信機２５に出力する。図３の光ネットワークでは、隣接する３波のチャネルａ，ｂ，ｃによる多数チャネル伝送（ＰＨＢの影響が小さく、ＯＳＮＲの劣化が小さい（データ伝送に影響がない）光伝送）を行っているものとする。
【００３０】
図３には、ノード１１〜１５間の伝送路における信号光のスペクトルＳＰ２１〜ＳＰ２５が示してある。また、図３には、ノード１５でドロップされる信号光のスペクトルＳＰ２６が示してある。図３の光ネットワークは、多数チャネル伝送であるため、ノード１１〜１４は、チャネルａ，ｂ，ｃに対して所望のパワーとなるように制御する。
【００３１】
図４は、図３の光ネットワークにおいて回線断が発生した例を示した図である。図４において、図３と同じものには同じ符号を付し、その説明を省略する。
図４に示すように、ノード１１，１２間の伝送路で回線断Ｄ１１が発生したとする。この場合、チャネルａ，ｃの信号光は、ノード１１の下流のノード１２〜１５で伝送されず、チャネルｂの信号光だけがノード１５へ伝送される。
【００３２】
チャネルｂの信号光は、ノード１２〜１５間で少数チャネル伝送となる。従って、ノード１２〜１４は、チャネルｂのＰＨＢによるＯＳＮＲの劣化を抑制するため、スペクトルＳＰ３２〜ＳＰ３４に示すように、チャネルｂに隣接するチャネルａ，ｃの減衰量を小さくする。すなわち、ノード１２〜１４は、チャネルａ，ｃでプリアンプ及びポストアンプで生じるＡＳＥ光が透過するよう減衰量を小さくし、チャネルｂの信号光のＰＨＢの影響を低減し、ＯＳＮＲの劣化を抑制する。
【００３３】
しかし、チャネルａ，ｂの信号光をドロップするノード１５では、チャネルａにてＡＳＥ光を受信する。このため、ノード１５は、上流で回線断Ｄ１１が発生したことを認識することができない。
【００３４】
図５は、通信障害検出の例を説明する図である。ノード１５は、ドロップするチャネルのパワーを監視し、そのパワーが所定の閾値以下になると通信障害が発生したと判断する。そして、ノード１５は、回線を現用系から予備系に切替え通信障害を回避する。
【００３５】
例えば、ノード１５は、図５に示すように、ドロップするチャネルａ，ｂの信号光のパワーを監視し、そのパワーが閾値Ｐｔｈ以下になると、通信障害が発生したと判断する。しかし、図４の例では、チャネルａでは、ＡＳＥ光が透過しているため、ノード１５は、回線断Ｄ１１を検出できない。
【００３６】
このように、ノード１２〜１４は、回線断Ｄ１１によって無信号チャネルとなったチャネルａ，ｃにおいて、ＡＳＥ光を透過させる。このため、チャネルａ，ｂをドロップする下流のノード１５では、透過するＡＳＥ光によってチャネルａのパワーが閾値以下にならず、冗長回線の切替えを行うことができない場合が生じる。
【００３７】
図６は、第２の実施の形態に係る光伝送装置を適用した光ネットワークを示した図である。図６に示すように、光ネットワークは、光伝送装置であるノード３１〜３５を有している。ノード３１〜３５は、例えば、光ファイバの伝送路によって接続されている。図６の光ネットワークでは、図示を省略しているが、例えば、ＯＵＰＳＲのリングネットワークやメッシュネットワークを形成している。
【００３８】
ノード３１は、上流から受信した信号光を増幅するプリアンプ３１ａ、信号光をアッド・ドロップするＯＡＤＭ３１ｂ、及びアッド・ドロップされた信号光を増幅して下流に出力するポストアンプ３１ｃを有している。ノード３２〜３５もノード３１と同様のプリアンプ、ＯＡＤＭ、及びポストアンプを有している。
【００３９】
ノード３１には、送信機４１，４２が接続され、ノード３２には、送信機４３が接続されている。ノード３５には、送信機４１の信号を受信する受信機４４及び送信機４３の信号を受信する受信機４５が接続されている。なお、送信機４２の信号を受信する受信機は、例えば、図６に示していないノード３５の下流のノードに接続されている。
【００４０】
ノード３１は、伝送されている信号光にチャネルａの信号光をアッドし、チャネルａの信号光にて送信機４１の信号光を伝送する。また、ノード３１は、伝送されている信号光にチャネルｃの信号光をアッドし、チャネルｃの信号光にて送信機４２の信号光を伝送する。ノード３２は、伝送されている信号光にチャネルｂの信号光をアッドし、チャネルｂの信号光にて送信機４３の信号光を伝送する。チャネルａ，ｂ，ｃは、隣接チャネルであるとする。
【００４１】
ノード３５は、チャネルａの信号光をドロップし、受信機４４に出力する。また、ノード３５は、チャネルｂの信号光をドロップし、受信機４５に出力する。
ノード３１〜３５は、少数チャネル伝送を行う場合、ＰＨＢによる信号光のＯＳＮＲの劣化を抑制するため、伝送する少数チャネルから所定の波長範囲内の無信号チャネルにてＡＳＥ光を透過させる。
【００４２】
また、光ネットワークでは、多数チャネル伝送を行っていても、回線断などの通信障害が発生すると少数チャネル伝送となる場合がある。この場合、ノード３１〜３５は、回線断などで無信号チャネルとなったチャネルが、回線断の影響を受けずに伝送されている少数チャネルの所定の波長範囲内にあるときは、その無信号チャネルでＡＳＥ光を透過させる。以下では、回線断などの通信障害によって信号光チャネルから無信号チャネルとなったチャネルを無信号遷移チャネルと呼ぶこともある。
【００４３】
さらに、無信号遷移チャネルをドロップするノードの１つ上流のノードは、その無信号遷移チャネルで伝送されているＡＳＥ光を減衰する。これにより、無信号遷移チャネルをドロップするノードでは、無信号遷移チャネルの信号光のパワーが回線断を判断する閾値（以下、単に閾値と呼ぶこともある）より小さくなり、回線断などの通信障害を検出することが可能となる。
【００４４】
例えば、図６の光ネットワークにおいて、回線断などの通信障害が発生していないとする。この場合、図６の光ネットワークでは、チャネルａ，ｂ，ｃの多数チャネル伝送が行われている。
【００４５】
ここで、図６に示すように、ノード３１，３２間で回線断Ｄ２１が発生し、チャネルａ，ｃは、ノード３２を含む下流ノードにおいて、無信号遷移チャネルとなったとする。この場合、ノード３２〜３５間では、チャネルｂの少数チャネル伝送となる。なお、図６に示すスペクトルＳＰ４１〜ＳＰ４５は、回線断Ｄ２１が発生したときのノード３１〜３５間の伝送路における信号光のスペクトルを示している。スペクトルＳＰ４６は、ノード３５でドロップされる信号光のスペクトルを示している。
【００４６】
無信号遷移チャネルａ，ｃは、ノード３２〜３５間を伝送している少数チャネルｂの隣接チャネル（所定の波長範囲内のチャネル）である。従って、ノード３２，３３は、スペクトルＳＰ４２，ＳＰ４３に示すように、無信号遷移チャネルａ，ｃでＡＳＥ光が透過するよう、チャネルａ，ｃの減衰量を小さくする。これにより、少数チャネルｂの信号光は、ＰＨＢによるＯＳＮＲの劣化が抑制される。
【００４７】
また、無信号遷移チャネルａをドロップするノード３５の１つ上流のノード３４は、スペクトルＳＰ４４に示すように、その無信号遷移チャネルａのＡＳＥ光を減衰する。これにより、ノード３５でドロップされるチャネルａ，ｂのスペクトルは、スペクトルＳＰ４６に示すようになり、ノード３５は、回線断Ｄ２１によって、無信号チャネルとなったチャネルａの信号断を検出できる。そして、ノード３５は、現用系から予備系への回線切替えを行うことが可能となる。
【００４８】
図７は、ノードのブロック図のその１である。図７には、図６のノード３４のブロックが示してある。図７に示すように、ノード３４は、プリアンプ５１，５７、光分波器５２、光スイッチ５３ａ，５３ｂ，…，５３ｎ、ＶＯＡ５４ａ，５４ｂ，…，５４ｎ、光合波器５５、ポストアンプ５６，５８、光監視制御部（図中のＯＳＣ：Optical Supervisory Channel）５９，６０、チャネル設定情報管理部６１、下流ノード情報記憶部６２、光チャネルモニタ６３、及びＶＯＡ制御部６４を有している。
【００４９】
プリアンプ５１は、上流のノード３３から送信された信号光を増幅する。プリアンプ５１は、例えば、ＥＤＦＡ（Erbium Doped Fiber Amplifier）である。プリアンプ５１は、例えば、図６で説明したプリアンプ３１ａに対応する。
【００５０】
光分波器５２は、プリアンプ５１で増幅されたＷＤＭの信号光を各波長（各チャネル）に分波する。
光スイッチ５３ａ，５３ｂ，…，５３ｎは、予め行われた設定に基づいて、光分波器５２によって分波された信号光に代えて、外部ネットワークから入力された信号光を下流に伝送させるアッド処理を行う。また、光スイッチ５３ａ，５３ｂ，…，５３ｎは、予め行われた設定に基づいて、光分波器５２によって分波された信号光を、外部ネットワークへ分岐させるドロップ処理を行う。また、光スイッチ５３ａ，５３ｂ，…，５３ｎは、予め行われた設定に基づいて、光分波器５２によって分波された信号光を、そのまま下流に伝送させるスルー処理を行う。
【００５１】
ＶＯＡ５４ａ，５４ｂ，…，５４ｎは、ＶＯＡ制御部６４の制御に基づいて、光スイッチ５３ａ，５３ｂ，…，５３ｎから出力される信号光のパワーを減衰する。
光合波器５５は、ＶＯＡ５４ａ，５４ｂ，…，５４ｎから出力される各チャネルの信号光を合波する。光分波器５２、光スイッチ５３ａ，５３ｂ，…，５３ｎ、ＶＯＡ５４ａ，５４ｂ，…，５４ｎ、及び光合波器５５は、図６で説明したＯＡＤＭ３１ｂに対応する。
【００５２】
ポストアンプ５６は、光合波器５５から出力される信号光を増幅し、伝送路を介して下流のノード３５へ送信する。ポストアンプ５６は、例えば、ＥＤＦＡである。ポストアンプ５６は、例えば、図６で説明したポストアンプ３１ｃに対応する。
【００５３】
プリアンプ５７は、下流のノード３５から送信された信号光を増幅する。プリアンプ５７は、例えば、ＥＤＦＡである。図６では、図７のプリアンプ５７の図示を省略している。
【００５４】
ポストアンプ５８は、図示しないＯＡＤＭによってアッド・ドロップされた信号光を増幅し、伝送路を介して上流のノード３３へ送信する。図示しないＯＡＤＭは、光分波器５２、光スイッチ５３ａ，５３ｂ，…，５３ｎ、ＶＯＡ５４ａ，５４ｂ，…，５４ｎ、及び光合波器５５と同様の構成を有している。ポストアンプ５８は、例えば、ＥＤＦＡである。図６では、図７のポストアンプ５８の図示を省略している。
【００５５】
ＯＳＣ５９には、上流のノード３３から伝送されたＯＳＣ光が、図示していない光カプラによって信号光から分岐され、入力される。ＯＳＣ５９は、受信したＯＳＣ光に基づいて、所定の監視制御を行う。
【００５６】
また、ＯＳＣ５９は、ＯＳＣ光を出力する。ＯＳＣ５９は、出力するＯＳＣ光に、チャネル設定情報管理部６１から出力されるチャネル設定情報を含める。ＯＳＣ５９から出力されるＯＳＣ光は、図示していない光カプラによって、ポストアンプ５８から出力される信号光に合波され、上流のノード３３に伝送される。
【００５７】
ＯＳＣ６０には、下流のノード３５から伝送されたＯＳＣ光が、図示していない光カプラによって信号光から分岐され、入力される。ＯＳＣ６０は、受信したＯＳＣ光に基づいて、所定の監視制御を行う。
【００５８】
下流のノード３５から受信したＯＳＣ光には、ノード３５のチャネル設定情報が含まれている。ＯＳＣ６０は、受信したＯＳＣ光に含まれるチャネル設定情報を下流ノード情報記憶部６２に記憶する。
【００５９】
また、ＯＳＣ６０は、ＯＳＣ光を出力する。ＯＳＣ６０から出力されるＯＳＣ光は、図示していない光カプラによって、ポストアンプ５６から出力される信号光に合波され、下流のノード３５に伝送される。
【００６０】
チャネル設定情報管理部６１は、チャネル設定情報をＯＳＣ５９に出力する。チャネル設定情報には、例えば、自装置に付与されたノード名などの識別子、伝送される信号光のチャネルの情報、信号光チャネルであるのか無信号チャネルであるのかの伝送チャネル情報、及びそのチャネルがアッド・ドロップされるのかスルーされるのかを示す経路情報が含まれる。これにより、上流のノード３３では、１つ下流のノード３４で、どのチャネルの信号光がアッド・ドロップされるのか認識することができる。チャネル設定情報は、例えば、光ネットワークの運用開始時に又は周期的に上流のノード３３に通知される。
【００６１】
下流ノード情報記憶部６２には、下流のノード３５から伝送されたノード３５のチャネル設定情報が記憶される。
光チャネルモニタ６３には、光合波器５５から出力される信号光の一部が、図示しない光カプラによって分岐され、入力される。光チャネルモニタ６３は、入力される信号光のチャネルごとのパワーをモニタし、そのモニタ結果をＶＯＡ制御部６４へ出力する。光チャネルモニタ６３は、例えば、スペクトラムアナライザである。
【００６２】
ＶＯＡ制御部６４は、光チャネルモニタ６３のモニタ結果に基づいて、ＶＯＡ５４ａ，５４ｂ，…，５４ｎを制御する。例えば、ＶＯＡ制御部６４は、光チャネルモニタ６３のモニタ結果に基づいて、伝送される信号光が少数チャネル伝送であると判断したときは、少数チャネル伝送される信号光チャネルから、所定の波長範囲内の無信号チャネルでＡＳＥ光が透過するように、ＶＯＡ５４ａ，５４ｂ，…，５４ｎの減衰量を小さくする。所定の波長範囲内は、例えば、少数チャネル伝送される信号光チャネルから±２．５ｎｍの波長範囲である。
【００６３】
また、ＶＯＡ制御部６４は、光チャネルモニタ６３のモニタ結果に基づいて、多数チャネル伝送から少数チャネル伝送に切り替わったことを判断すると、下流ノード情報記憶部６２を参照し、少数チャネル伝送される信号光チャネルから、所定の波長範囲内にある無信号遷移チャネルが下流のノード３５でドロップされるチャネルであるか否か判断する。ＶＯＡ制御部６４は、信号光チャネルから所定の波長範囲内にある無信号遷移チャネルが下流のノード３５でドロップされるチャネルである場合、その無信号遷移チャネルの減衰量を所定値より大きくする。所定値は、下流のノード３５が、ドロップするチャネルで信号光が伝送されていると判断しないパワーとなるための値である。
【００６４】
図８は、ＶＯＡ制御部のブロック図である。図８に示すように、ＶＯＡ制御部６４は、判断部６４ａ及び制御部６４ｂを有している。
判断部６４ａは、光チャネルモニタ６３から出力される信号光の各チャネルのパワーに基づいて、多数チャネル伝送から少数チャネル伝送への切り替わりを判断する。例えば、判断部６４ａは、信号光のパワーが所定の閾値以下になるかによって多数チャネル伝送から少数チャネル伝送への切り替わりを判断する。また、判断部６４ａは、信号光のパワーが所定の閾値以下でなくても、光チャネルモニタ６３で測定されるスペクトル形状からＡＳＥ光であるか信号光であるかを判断し、多数チャネル伝送から少数チャネル伝送への切り替わりを判断する。
【００６５】
制御部６４ｂは、判断部６４ａによって多数チャネル伝送から少数チャネル伝送に切り替わったと判断された場合、下流ノード情報記憶部６２を参照し、少数チャネル伝送の信号光チャネルから所定の波長範囲内にある無信号遷移チャネルが下流のノード３５でドロップされるチャネルであるか判断する。制御部６４ｂは、所定の波長範囲内にある無信号遷移チャネルが下流のノード３５でドロップされるチャネルである場合、その無信号遷移チャネルの減衰量を所定値より大きくする。
【００６６】
図９は、ノードのブロック図のその２である。図９には、図６のノード３５のブロックが示してある。図９において、図７と同じものには同じ符号を付し、その説明を省略する。
【００６７】
図９に示すように、ノード３５は、光分波器７１及び受信モニタ部７２を有している。光分波器７１には、プリアンプ５１によって増幅された信号光の一部が、図示しないカプラによって分岐され、入力される。光分波器７１は、入力された信号光からドロップするチャネルを分波し、受信モニタ部７２に出力する。例えば、図６の例に従えば、光分波器７１は、チャネルａ，ｂの信号光を分波して受信モニタ部７２に出力する。
【００６８】
受信モニタ部７２は、ドロップするチャネルａ，ｂの信号光のパワーを監視し、信号光のパワーが所定の閾値以下になると通信障害が発生したと判断する。そして、受信モニタ部７２は、回線を現用系から予備系に切替え通信障害を回避する。
【００６９】
なお、光分波器７１から出力されたチャネルａ，ｂの信号光は、受信機４４，４５へ出力される。また、図９に示すチャネル設定情報管理部６１は、図７で説明した下流ノード情報記憶部６２に記憶されるチャネル設定情報をＯＳＣ５９に出力する。また、図９に示す下流ノード情報記憶部６２には、ノード３５の下流のノードから送信されてくるチャネル設定情報が記憶される。
【００７０】
次に、図６のノード３１〜３４の下流ノード情報記憶部に記憶されるチャネル設定情報について説明する。
図１０は、下流ノード情報記憶部に記憶されるチャネル設定情報の構成例を示した図のその１である。図１０には、ノード３１の下流ノード情報記憶部に記憶されるチャネル設定情報を示している。
【００７１】
図１０に示すように、下流ノード情報記憶部は、下流ノード名、チャネル、伝送チャネル情報、及び経路情報の欄を有している。下流ノード名の欄には、ノード３１の下流のノード３２のノード名が記憶される。ノード３２のノード名をノードＢとすると、下流ノード名の欄には、ノードＢが記憶される。
【００７２】
チャネルの欄には、ノード３１の下流のノード３２で伝送される信号光のチャネルが記憶される。例えば、ノード３２で伝送される信号光のチャネルを‘１，２，…，ａ，ｂ，ｃ，…’とすると、チャネルの欄には、図１０に示すように、１，２，…，ａ，ｂ，ｃ，…が記憶される。
【００７３】
伝送チャネル情報の欄には、ノード３１の下流のノード３２で伝送される信号光のチャネルが信号光チャネルであるか無信号チャネルであるかを示す情報が記憶される。例えば、信号光チャネルの場合‘１’が記憶され、無信号チャネルの場合‘０’が記憶される。図６の例では、ノード３２は、チャネルａ，ｂ，ｃで信号を伝送するので、図１０に示すように、チャネルａ，ｂ，ｃに対応する伝送チャネル情報は‘１’となる。
【００７４】
経路情報の欄には、ノード３１の下流のノード３２のドロップするチャネルの情報が記憶される。例えば、あるチャネルが下流のノード３２でドロップされる場合、そのチャネルに対応する経路情報の欄には‘１’が記憶され、アッド及びスルーの場合は‘０’が記憶される。図６の例では、ノード３１の下流のノード３２は、チャネルをドロップしないので、図１０に示すように、経路情報の欄は‘０’となる。
【００７５】
図１１は、下流ノード情報記憶部に記憶されるチャネル設定情報の構成例を示した図のその２である。図１１には、ノード３２の下流ノード情報記憶部に記憶されるチャネル設定情報を示している。
【００７６】
ノード３２の下流ノード情報記憶部も図１０で説明した下流ノード情報記憶部と同様の欄を有している。各欄には、ノード３２の下流のノード３３の情報が記憶される。図６の例に従うと、ノード３２の下流ノード情報記憶部には、図１１に示すような情報が記憶される。なお、ノード３２の下流のノード３３のノード名をノードＣとしている。
【００７７】
図１２は、下流ノード情報記憶部に記憶されるチャネル設定情報の構成例を示した図のその３である。図１２には、ノード３３の下流ノード情報記憶部に記憶されるチャネル設定情報を示している。
【００７８】
ノード３３の下流ノード情報記憶部も図１０で説明した下流ノード情報記憶部と同様の欄を有している。各欄には、ノード３３の下流のノード３４の情報が記憶される。図６の例に従うと、ノード３３の下流ノード情報記憶部には、図１２に示すような情報が記憶される。なお、ノード３３の下流のノード３４のノード名をノードＤとしている。
【００７９】
図１３は、下流ノード情報記憶部に記憶されるチャネル設定情報の構成例を示した図のその４である。図１３には、ノード３４の下流ノード情報記憶部６２に記憶されるチャネル設定情報を示している。
【００８０】
ノード３４の下流ノード情報記憶部６２も図１０で説明した下流ノード情報記憶部と同様の欄を有している。各欄には、ノード３４の下流のノード３５の情報が記憶される。図６の例に従うと、ノード３４の下流ノード情報記憶部６２には、図１３に示すような情報が記憶される。なお、ノード３４の下流のノード３５のノード名をノードＥとしている。また、図６のノード３５は、チャネルａ，ｂの信号光をドロップするので、図１３に示すように、チャネルａ，ｂに対応する経路情報の欄には‘１’が記憶される。
【００８１】
なお、図６において回線断Ｄ２１が発生した場合、ノード３４のＶＯＡ制御部６４は、多数チャネル伝送から少数チャネル伝送に切り替わったことを判断する。ＶＯＡ制御部６４は、多数チャネル伝送から少数チャネル伝送に切り替わったことにより、下流ノード情報記憶部６２を参照し、少数チャネル伝送される信号光チャネル‘ｂ’から、所定の波長範囲内にある無信号遷移チャネル‘ａ’が下流のノード３５でドロップされるチャネルであるか否か判断する。チャネルａは、図１３の経路情報より下流のノード３５でドロップされるチャネルであるので、ＶＯＡ制御部６４は、無信号遷移チャネル‘ａ’の減衰量を所定値より大きくする。
【００８２】
これに対し、ノード３２，３３では、図１１及び図１２の経路情報に示すように、チャネルａは、下流のノード３３，３４でドロップされない。よって、ノード３２，３３は、チャネルａでＡＳＥ光が透過するようにＶＯＡの減衰量を小さく制御する。
【００８３】
図１４は、チャネル設定情報の通知動作を示したフローチャートである。図１４には、図７に示したノード３４におけるチャネル設定情報の通知動作が示してある。
［ステップＳ１］チャネル設定情報管理部６１は、ノード３４に設定されたチャネル設定情報を管理している。チャネル設定情報は、例えば、ノード３４を運用する前にオペレータによって設定される。チャネル設定情報管理部６１は、光ネットワークの運用開始時又は周期的にチャネル設定情報を取得する。
【００８４】
［ステップＳ２］チャネル設定情報管理部６１は、取得したチャネル設定情報をＯＳＣ５９に出力する。
［ステップＳ３］ＯＳＣ５９は、チャネル設定情報管理部６１から出力されたチャネル設定情報をＯＳＣ光に含め、ポストアンプ５８から出力される信号光に合波して上流のノード３３に送信する。
【００８５】
なお、ノード３４のＯＳＣ６０は、下流のノード３５からＯＳＣ光を受信し、受信したＯＳＣ光に含まれるチャネル設定情報を取得し、下流ノード情報記憶部６２に記憶する。他のノード３１〜３３，３５も同様に、チャネル設定情報を上流のノードへ通知する。
【００８６】
図１５は、ＶＯＡ制御部の動作を示したフローチャートである。図１５には、図７及び図８に示したＶＯＡ制御部６４の動作が示してある。
［ステップＳ１１］ＶＯＡ制御部６４の判断部６４ａは、光チャネルモニタ６３から出力される各チャネルの信号光のパワーを監視している。
【００８７】
［ステップＳ１２］判断部６４ａは、監視している各チャネルの信号光のパワーに基づき、多数チャネル伝送から少数チャネル伝送への切り替わりを判断する。判断部６４ａは、多数チャネル伝送から少数チャネル伝送へ切り替わっていない場合、ステップＳ１１へ進む。判断部６４ａは、多数チャネル伝送から少数チャネル伝送へ切り替わった場合、ステップＳ１３へ進む。
【００８８】
［ステップＳ１３］制御部６４ｂは、減衰量を制御するチャネル候補を決定する。例えば、制御部６４ｂは、下流ノード情報記憶部６２を参照し、少数チャネル伝送されている信号光チャネルから所定の波長範囲内にある無信号チャネルを、減衰量を制御するチャネル候補として決定する。
【００８９】
［ステップＳ１４］制御部６４ｂは、下流ノード情報記憶部６２を参照し、決定したチャネル候補が、多数チャネル伝送から少数チャネル伝送へ切り替わる前、信号光チャネルであったか否か判断する。すなわち、制御部６４ｂは、ステップＳ１３で決定したチャネル候補が、回線断などの通信障害によって信号光チャネルから無信号チャネルとなった無信号遷移チャネルであるか判断する。元から無信号である無信号チャネル（判断部６４ａによって、多数チャネル伝送から少数チャネル伝送への切り替わりが判断される前から無信号である無信号チャネル）は、ノードでドロップされないからである。制御部６４ｂは、チャネル候補が無信号遷移チャネルである場合、ステップＳ１５へ進む。制御部６４ｂは、チャネル候補が無信号遷移チャネルでない場合、ステップＳ１７へ進む。
【００９０】
［ステップＳ１５］制御部６４ｂは、下流ノード情報記憶部６２を参照し、無信号遷移チャネルが下流のノード３５でドロップされるチャネルであるか判断する。制御部６４ｂは、無信号遷移チャネルが下流のノード３５でドロップされるチャネルである場合、ステップＳ１６へ進む。制御部６４ｂは、無信号遷移チャネルが下流のノード３５でドロップされるチャネルでない場合、ステップＳ１７へ進む。
【００９１】
［ステップＳ１６］制御部６４ｂは、ステップＳ１５で判断した下流のノード３５でドロップされるチャネルに対応するＶＯＡ５４ａ，５４ｂ，…，５４ｎの減衰量を所定値より大きくする。すなわち、制御部６４ｂは、下流のノード３５において、回線断等で信号光が到達していないにも関わらず、ＡＳＥ光によって信号光が到達していると判断されないように、減衰量を大きくする。
【００９２】
［ステップＳ１７］制御部６４ｂは、ステップＳ１４で判断した無信号遷移チャネルでないチャネル候補のチャネルの減衰量を小さくする。すなわち、制御部６４ｂは、ＡＳＥ光が透過するようにＶＯＡ５４ａ，５４ｂ，…，５４ｎの減衰量を小さくする。
【００９３】
このように、ノード３４は、多数チャネル伝送から少数チャネル伝送への切り替わりを判断し、少数チャネル伝送の信号光チャネルから所定の波長範囲内にある無信号チャネルが下流のノード３５でドロップされるチャネルである場合、その無信号チャネルの減衰量を所定値より大きくするようにした。
【００９４】
これにより、下流のノード３５は、上流で発生した回線断等の通信障害を検出することができる。また、ノード３５は、通信障害を検出することにより、回線を現用系から予備系に切替えることができる。
【００９５】
また、光分波器７１から出力される信号光がＡＳＥ光であるか否かを判断するための装置を設けずに、回線断等の通信障害を検出することができる。
なお、上流のノードが下流のノードへチャネル設定情報を通知し、上流のノードでチャネルがドロップされる場合、下流のノードがそのチャネルの減衰量を大きくするようにしてもよい。例えば、図７で説明したチャネル設定情報管理部６１、下流ノード情報記憶部６２、光チャネルモニタ６３、及びＶＯＡ制御部６４を下流から上流に伝送するプリアンプ、ポストアンプ、ＯＡＤＭのラインに設けてもよい。
【００９６】
また、上記では、ノード３５が、自分に接続された受信機４４，４５の受信する信号光をドロップする場合について説明したが、ＯＡＤＭによって外部ネットワークに信号光をドロップする場合も上記と同様である。例えば、図６において、ノード３５がチャネルａ，ｂを外部ネットワークにドロップするとした場合も上記と同様になる。
【００９７】
次に、第３の実施の形態を、図面を参照して詳細に説明する。第３の実施の形態では、光ネットワークにＯＸＣ（Optical cross connect）ノードが含まれる場合について説明する。まず、ＯＸＣノードを含む光ネットワークの例について説明する。
【００９８】
図１６は、ＯＸＣノードを含む光ネットワークの例を示した図である。図１６に示すように、光ネットワークは、光伝送装置であるＯＡＤＭノード８１〜８７及びＯＸＣノード９１〜９３を有している。
【００９９】
ＯＡＤＭノード８１〜８７は、図６で説明したノード３１〜３５と同様に、信号光を波長単位でアッド・ドロップする装置である。ＯＸＣノード９１〜９３は、信号光の経路を波長単位で切替える装置である。例えば、ＯＡＤＭノード８２でアッドされた信号光は、ＯＸＣノード９１〜９３によって経路が切替えられ、ＯＡＤＭノード８７に伝送される。ＯＡＤＭノード８７は、ＯＡＤＭノード８２でアッドされた信号光をドロップする。また、ＯＡＤＭノード８７でアッドされた信号光は、ＯＸＣノード９１〜９３によって経路が切替えられ、ＯＡＤＭノード８２に伝送される。ＯＡＤＭノード８２は、ＯＡＤＭノード８７でアッドされた信号光をドロップする。
【０１００】
図１７は、第３の実施の形態に係る光伝送装置を適用した光ネットワークを示した図である。図１７において、図６と同じものには同じ符号を付し、その説明を省略する。
図１７の光ネットワークは、ＯＸＣのノード１０１を有している。ノード１０１には、ＯＡＤＭのノード３２，３４，１０２が接続されている。
【０１０１】
ノード１０１は、上流から受信した信号光を増幅するプリアンプ１０１ａ，１０１ｄ、信号光の経路を波長単位で切替えるＷＳＳ（Wavelength Selectable Switch）１０１ｂ，１０１ｅ、及びポストアンプ１０１ｃ，１０１ｆを有している。ノード１０１は、例えば、上流のノード３２から受信した信号光の経路を、波長単位でノード３４とノード１０２とに切替える。
【０１０２】
図１８は、ＯＸＣノードのブロック図である。図１８に示すように、ノード１０１は、プリアンプ１１１，１１４，１１９，１２２、ＷＳＳ１１２，１２０、ポストアンプ１１３，１１５，１２１，１２３、ＯＳＣ１１６，１１７，１２４，１２５、分波器１１８、チャネル設定情報管理部１２６、下流ノード情報記憶部１２７、光チャネルモニタ１２８、及びＶＯＡ制御部１２９を有している。
【０１０３】
プリアンプ１１１、ＷＳＳ１１２、及びポストアンプ１１３は、図１７に示したプリアンプ１０１ａ、ＷＳＳ１０１ｂ、及びポストアンプ１０１ｃに対応する。プリアンプ１１９、ＷＳＳ１２０、及びポストアンプ１２１は、図１７に示したプリアンプ１０１ｄ、ＷＳＳ１０１ｅ、及びポストアンプ１０１ｆに対応する。図１７では、図１８のプリアンプ１１４，１２２及びポストアンプ１１５，１２３の図示を省略している。
【０１０４】
プリアンプ１１１及びポストアンプ１１５には、伝送路を介して、図１７で示したノード３２が接続されている。ポストアンプ１１３及びプリアンプ１１４には、伝送路を介して、図１７で示したノード３４が接続されている。ポストアンプ１２１及びプリアンプ１２２には、伝送路を介して、図１７に示したノード１０２が接続されている。プリアンプ１１９及びポストアンプ１２３には、伝送路を介して、図１７に示していないノードが接続されている。
【０１０５】
プリアンプ１１１，１１４，１１９，１２２、ポストアンプ１１３，１１５，１２１，１２３、及びＯＳＣ１１６，１１７，１２４，１２５は、図７で説明したプリアンプ５１，５７、ポストアンプ５６，５８、及びＯＳＣ５９，６０と同様であり、その説明は省略する。
【０１０６】
ＷＳＳ１１２は、波長単位で信号光の経路を切替える。例えば、ＷＳＳ１１２は、下流のノード３５でドロップされるチャネルの信号光を、ノード３４に出力するよう切替える。ＷＳＳ１１２は、図示していないが、波長ごとに信号光のパワーを減衰することができるＶＯＡを有している。
【０１０７】
分波器１１８には、プリアンプ１１１によって増幅された信号光が入力される。分波器１１８は、入力された信号光を分波してＷＳＳ１２０に出力する。分波器１１８は、例えば、ＷＳＳ１２０が経路切替えする波長の信号光を分波してＷＳＳ１２０に出力する。
【０１０８】
ＷＳＳ１２０は、波長単位で信号光の経路を切替える。例えば、ＷＳＳ１２０は、分波器１１８から入力される信号光及びプリアンプ１１９から入力される信号光を波長単位で分波する。例えば、ＷＳＳ１２０は、ノード１０２に出力する信号光については、波長単位でポストアンプ１２１に出力するように経路を切替える。ＷＳＳ１２０は、図示していないが、波長ごとに信号光のパワーを減衰することができるＶＯＡを有している。
【０１０９】
チャネル設定情報管理部１２６は、図７で説明したチャネル設定情報管理部６１と同様に、自装置に関するチャネル設定情報を上流のノード３２及びプリアンプ１１９と伝送路を介して接続された図示しない上流のノードへ通知する。
【０１１０】
下流ノード情報記憶部１２７には、ポストアンプ１１３と接続される下流のノード３４のチャネル設定情報と、ポストアンプ１２１と接続される下流のノード１０２のチャネル設定情報とが記憶される。
【０１１１】
光チャネルモニタ１２８には、ＷＳＳ１１２から出力される信号光の一部が、図示しない光カプラによって分岐され、入力される。また、光チャネルモニタ１２８には、ＷＳＳ１２０から出力される信号光の一部が、図示しない光カプラによって分岐され、入力される。光チャネルモニタ１２８は、ＷＳＳ１１２，ＷＳＳ１２０のそれぞれから出力される信号光において、チャネルごとのパワーをモニタし、そのモニタ結果をＶＯＡ制御部１２９へ出力する。
【０１１２】
ＶＯＡ制御部１２９は、光チャネルモニタ１２８のＷＳＳ１１２から出力される信号光のモニタ結果に基づいて、ＷＳＳ１１２のＶＯＡを制御する。また、ＶＯＡ制御部１２９は、光チャネルモニタ１２８のＷＳＳ１２０から出力される信号光のモニタ結果に基づいて、ＷＳＳ１２０のＶＯＡを制御する。
【０１１３】
例えば、ＶＯＡ制御部１２９は、光チャネルモニタ１２８のＷＳＳ１１２のモニタ結果に基づいて、伝送される信号光が少数チャネル伝送であると判断したときは、少数チャネル伝送される信号光チャネルから、所定の波長範囲内の無信号チャネルでＡＳＥ光が透過するように、ＷＳＳ１１２のＶＯＡの減衰量を小さくする。また、ＶＯＡ制御部１２９は、光チャネルモニタ１２８のＷＳＳ１１２のモニタ結果に基づいて、伝送される信号光が少数チャネル伝送であると判断したときは、少数チャネル伝送される信号光チャネルから、所定の波長範囲内の無信号チャネルでＡＳＥ光が透過するように、ＷＳＳ１１２のＶＯＡの減衰量を小さくする。
【０１１４】
また、ＶＯＡ制御部１２９は、光チャネルモニタ１２８のＷＳＳ１１２のモニタ結果に基づいて、多数チャネル伝送から少数チャネル伝送に切り替わったことを判断すると、下流ノード情報記憶部１２７を参照し、少数チャネル伝送される信号光チャネルから、所定の波長範囲内にある無信号遷移チャネルが下流のノード３４でドロップされるチャネルであるか否か判断する。ＶＯＡ制御部１２９は、信号光チャネルから所定の波長範囲内にある無信号遷移チャネルが下流のノード３４でドロップされるチャネルである場合、その無信号遷移チャネルの減衰量を所定値より大きくする。また、ＶＯＡ制御部１２９は、光チャネルモニタ１２８のＷＳＳ１２０のモニタ結果に基づいて、多数チャネル伝送から少数チャネル伝送に切り替わったことを判断すると、下流ノード情報記憶部１２７を参照し、少数チャネル伝送される信号光チャネルから、所定の波長範囲内にある無信号遷移チャネルが下流のノード１０２でドロップされるチャネルであるか否か判断する。ＶＯＡ制御部１２９は、信号光チャネルから所定の波長範囲内にある無信号遷移チャネルが下流のノード１０２でドロップされるチャネルである場合、その無信号遷移チャネルの減衰量を所定値より大きくする。
【０１１５】
次に、図１７のノード３１，３２，１０１，３４の下流ノード情報記憶部に記憶されるチャネル設定情報について説明する。
図１９は、下流ノード情報記憶部に記憶されるチャネル設定情報の構成例を示した図のその１である。図１９には、図１７のノード３１の下流ノード情報記憶部に記憶されるチャネル設定情報を示している。
【０１１６】
ノード３１の下流ノード情報記憶部も図１０で説明した下流ノード情報記憶部と同様の欄を有している。各欄には、ノード３１の下流のノード３２の情報が記憶される。図１７の例に従うと、ノード３１の下流ノード情報記憶部には、図１９に示すような情報が記憶される。なお、ノード３１の下流のノード３２のノード名をノードＢとしている。
【０１１７】
図２０は、下流ノード情報記憶部に記憶されるチャネル設定情報の構成例を示した図のその２である。図２０には、図１７のノード３２の下流ノード情報記憶部に記憶されるチャネル設定情報を示している。
【０１１８】
ノード３２の下流ノード情報記憶部も図１０で説明した下流ノード情報記憶部と同様の欄を有している。各欄には、ノード３２の下流のノード１０１の情報が記憶される。図１７の例に従うと、ノード３２の下流ノード情報記憶部には、図２０に示すような情報が記憶される。なお、ノード３２の下流のノード１０１のノード名をノードＣとしている。
【０１１９】
図１８のＯＸＣのノード１０１は、信号光をドロップしない。従って、図２０に示すように、経路情報は‘０’となっている。仮にノード１０１が信号光をドロップする場合には、ドロップするチャネルに対応する経路情報の欄に‘１’が記憶される。例えば、ノード１０１がチャネル２の信号光をドロップする場合、チャネル２に対応する経路情報の欄に‘１’が格納される。
【０１２０】
なお、ノード１０１が信号光をドロップするノードである場合、図１８に示すプリアンプ１１１，１１９の出力に、カプラを介して光分波器が接続される。すなわち、ノード１０１は、図９で示した光分波器７１及び受信モニタ部７２と同様の光分波器及び受信モニタ部を有する。そして、光分波器には、分波された信号光を受信する受信機が接続される。
【０１２１】
図２１は、下流ノード情報記憶部に記憶されるチャネル設定情報の構成例を示した図のその３である。図２１には、図１７のノード１０１の下流ノード情報記憶部１２７に記憶されるチャネル設定情報を示している。
【０１２２】
ノード１０１の下流ノード情報記憶部１２７も図１０で説明した下流ノード情報記憶部と同様の欄を有している。各欄には、ノード１０１の下流のノード３４，１０２の情報が記憶される。図１７の例に従うと、ノード１０１の下流ノード情報記憶部１２７には、図２０に示すような情報が記憶される。なお、ノード１０１の下流のノード３４，１０２のノード名をそれぞれノードＤ，Ｚとしている。
【０１２３】
図２２は、下流ノード情報記憶部に記憶されるチャネル設定情報の構成例を示した図のその４である。図２２には、図１７のノード３４の下流ノード情報記憶部に記憶されるチャネル設定情報を示している。
【０１２４】
ノード３４の下流ノード情報記憶部も図１０で説明した下流ノード情報記憶部と同様の欄を有している。各欄には、ノード３４の下流のノード３５の情報が記憶される。図１７の例に従うと、ノード３４の下流ノード情報記憶部には、図２２に示すような情報が記憶される。なお、ノード３４の下流のノード３５のノード名をノードＥとしている。
【０１２５】
ノード１０１のチャネル設定情報の通知動作及びＶＯＡ制御部１２９の動作は、図１４、図１５で示したフローチャートと同様になる。ただし、光チャネルモニタ１２８は、ＷＳＳ１１２，１２０から出力される信号光のレベルをモニタし、ＶＯＡ制御部１２９は、ＷＳＳ１１２，１２０のそれぞれのＶＯＡを制御することになる。
【０１２６】
このように、ノードがＯＸＣノードであっても下流のノードでドロップされるチャネルの減衰量を制御することにより、下流のノードは上流で発生した回線断等の通信障害を検出することができる。また、ＯＸＣノードの下流のノードは、通信障害を検出することにより、回線を現用系から予備系に切替えることができる。
【０１２７】
なお、ＯＸＣのノード１０１は、ＷＳＳを３以上有していてもよい。この場合も上記と同様に、光チャネルモニタ１２８は、各ＷＳＳの出力の信号光をモニタし、ＶＯＡ制御部１２９は、各ＷＳＳの出力の信号光のモニタ結果に基づいて、各ＷＳＳの有するＶＯＡを制御する。
【０１２８】
次に、第４の実施の形態を、図面を参照して詳細に説明する。第４の実施の形態では、光ネットワークにＩＬＡ（InLine Amplifier）ノードが挿入される場合について説明する。
【０１２９】
図２３は、第４の実施の形態に係る光伝送装置を適用した光ネットワークを示した図である。図２３において、図６と同じものには同じ符号を付し、その詳細な説明を省略する。
【０１３０】
図２３では、ノード３２，３４の間にインラインのノード１３１が挿入されている。ノード１３１は、プリアンプ１３１ａ及びポストアンプ１３１ｂを有し、上流のノード３２から受信した信号光を増幅して、下流のノード３４に出力する。
【０１３１】
図２４は、インラインノードのブロック図を示した図である。図２４に示すように、ノード１３１は、プリアンプ１４１，１４３、ポストアンプ１４２，１４４、及びＯＳＣ１４５，１４６を有している。
【０１３２】
プリアンプ１４１は、ノード３２から信号光を受信し、増幅してポストアンプ１４２に出力する。ポストアンプ１４２は、プリアンプ１４１から出力された信号光を増幅してノード３４に出力する。
【０１３３】
プリアンプ１４３は、ノード３４から信号光を受信し、増幅してポストアンプ１４４に出力する。ポストアンプ１４４は、プリアンプ１４３から出力された信号光を増幅してノード３２に出力する。
【０１３４】
ＯＳＣ１４５には、ノード３２から伝送されたＯＳＣ光が入力される。ＯＳＣ光は、プリアンプ１４１の前段で、図示しないカプラによって信号光から分岐されてＯＳＣ１４５に入力される。また、ＯＳＣ１４５は、ＯＳＣ１４６から出力されるチャネル設定情報を受信する。ＯＳＣ１４５は、受信したチャネル設定情報を含むＯＳＣ光を出力する。ＯＳＣ１４５から出力されるＯＳＣ光は、図示しないカプラによってポストアンプ１４４から出力される信号光に合波され、ノード３２に伝送される。
【０１３５】
ＯＳＣ１４６には、ノード３４から伝送されたＯＳＣ光が入力される。ＯＳＣ光は、プリアンプ１４３の前段で、図示しないカプラによって信号光から分岐されてＯＳＣ１４６に入力される。また、ＯＳＣ１４６は、ＯＳＣ１４５から出力されるチャネル設定情報を受信する。ＯＳＣ１４６は、受信したチャネル設定情報を含むＯＳＣ光を出力する。ＯＳＣ１４６から出力されるＯＳＣ光は、図示しないカプラによってポストアンプ１４２から出力される信号光に合波され、ノード３４に伝送される。
【０１３６】
次に、図２３のノード３１，３２，３４の下流ノード情報記憶部に記憶されるチャネル設定情報について説明する。
図２５は、下流ノード情報記憶部に記憶されるチャネル設定情報の構成例を示した図のその１である。図２５には、図２３のノード３１の下流ノード情報記憶部に記憶されるチャネル設定情報を示している。
【０１３７】
ノード３１の下流ノード情報記憶部も図１０で説明した下流ノード情報記憶部と同様の欄を有している。各欄には、ノード３１の下流のノード３２の情報が記憶される。図２３の例に従うと、ノード３１の下流ノード情報記憶部には、図２５に示すような情報が記憶される。なお、ノード３１の下流のノード３２のノード名をノードＢとしている。
【０１３８】
図２６は、下流ノード情報記憶部に記憶されるチャネル設定情報の構成例を示した図のその２である。図２６には、図２３のノード３２の下流ノード情報記憶部に記憶されるチャネル設定情報を示している。
【０１３９】
ノード３２の下流ノード情報記憶部も図１０で説明した下流ノード情報記憶部と同様の欄を有している。各欄には、ノード３２の下流のノード３４の情報が記憶される。図２３の例に従うと、ノード３２の下流ノード情報記憶部には、図２６に示すような情報が記憶される。なお、ノード３２の下流のノード３４のノード名をノードＤとしている。
【０１４０】
図２７は、下流ノード情報記憶部に記憶されるチャネル設定情報の構成例を示した図のその３である。図２７には、図２３のノード３４の下流ノード情報記憶部に記憶されるチャネル設定情報を示している。
【０１４１】
ノード３４の下流ノード情報記憶部も図１０で説明した下流ノード情報記憶部と同様の欄を有している。各欄には、ノード３４の下流のノード３５の情報が記憶される。図２３の例に従うと、ノード３４の下流ノード情報記憶部には、図２７に示すような情報が記憶される。なお、ノード３４の下流のノード３５のノード名をノードＥとしている。
【０１４２】
このように、インラインノードは、下流のチャネル設定情報を上流のノードに通知する。これにより、インラインノードの上流のノードは、インラインノードの下流のノードでドロップされるチャネルの減衰量を制御し、インラインノードの下流のノードは、インラインノードの上流で発生した回線断等の通信障害を検出することができる。また、インラインノードの下流のノードは、通信障害を検出することにより、回線を現用系から予備系に切替えることができる。
【０１４３】
次に、第５の実施の形態を、図面を参照して詳細に説明する。第２の実施の形態〜第４の実施の形態では、ノードは、ＯＳＣを用いてチャネル設定情報を上流のノードへ通知した。第５の実施の形態では、ネットワーク管理装置によって、下流のノードのチャネル設定情報を上流のノードへ通知する。
【０１４４】
図２８は、第５の実施の形態に係る光伝送装置を適用した光ネットワークを示した図である。図２８に示すように、光ネットワークは、ノード１５１〜１５４を有している。図２８の光ネットワークでは、図示を省略しているが、例えば、ＯＵＰＳＲのリングネットワークやメッシュネットワークを形成している。
【０１４５】
ノード１５１〜１５４は、ＮＭ（Network Management）装置１６１に接続されている。ＮＭ装置１６１は、光ネットワークを形成しているノード１５１〜１５４の接続関係を把握している。例えば、ノード１５４の上流には、ノード１５３が接続されていると把握している。
【０１４６】
ノード１５１〜１５４は、例えば、図７、図９、図１８、図２４で示したＯＡＤＭ、ＯＸＣ、又はインラインのノードである。ノード１５１〜１５４のチャネル設定情報管理部は、自装置に関するチャネル設定情報をＮＭ装置１６１に送信する。
【０１４７】
ＮＭ装置１６１は、上記したように、ノード１５１〜１５４の接続関係を把握している。ＮＭ装置１６１は、ノード１５１〜１５４から受信したチャネル設定情報を、上流のノード１５１〜１５４に送信する。例えば、ＮＭ装置１６１は、ノード１５４からチャネル設定情報を受信した場合、ノード１５３にチャネル設定情報を送信する。
【０１４８】
なお、上流にあるノードがインラインノードである場合、ＮＭ装置１６１は、そのインラインノードの上流にあるノードに受信したチャネル設定情報を送信する。
図２９は、ＮＭ装置の動作を示したフローチャートである。
【０１４９】
［ステップＳ２１］ＮＭ装置１６１は、ノード１５１〜１５４からチャネル設定情報を受信する。
［ステップＳ２２］ＮＭ装置１６１は、例えば、記憶装置に記憶しているノード１５１〜１５４の接続関係に基づいて、ノード１５１〜１５４から受信したチャネル設定情報を上流のノード１５１〜１５４に送信する。
【０１５０】
なお、チャネル設定情報を受信したノード１５１〜１５４は、下流ノード情報記憶部にチャネル設定情報を記憶する。
このように、ＮＭ装置１６１を介して、チャネル設定情報を上流のノードに通知することができる。
【０１５１】
次に、第６の実施の形態を、図面を参照して詳細に説明する。第５の実施の形態では、ノードと直接接続されたネットワーク管理装置によって、下流のノードのチャネル設定情報を上流のノードへ通知した。第７の実施の形態では、ノードとＮＭ装置はＧＭＰＬＳ（Generalized Multi-Protocol Label Switching）のネットワークを介して接続されており、ノードとＮＭ装置は、ＧＭＰＬＳを介してチャネル設定情報のやり取りを行う。
【０１５２】
図３０は、第６の実施の形態に係る光伝送装置を適用した光ネットワークを示した図である。図３０において、図２９と同じものには同じ符号を付し、その説明を省略する。
図３０に示すように、ノード１５１〜１５４は、ネットワーク１７１を介してＮＭ装置１６１と接続されている。ネットワーク１７１は、ＧＭＰＬＳネットワークであり、ノード１５１〜１５４とＮＭ装置１６１は、ＧＭＰＬＳによってチャネル設定情報の送受信を行う。
【０１５３】
なお、ノード１５１〜１５４とＮＭ装置１６１のチャネル設定情報の送受信は、第５の実施の形態で説明したのと同様に行う。すなわち、ノード１５１〜１５４のチャネル設定情報管理部は、ネットワーク１７１を介してチャネル設定情報をＮＭ装置１６１に送信する。ＮＭ装置１６１は、ノード１５１〜１５４の接続関係に基づき、受信したチャネル設定情報を上流のノード１５１〜１５４へ送信する。
【０１５４】
図３１は、ＮＭ装置の動作を示したフローチャートである。
［ステップＳ３１］ＮＭ装置１６１は、ＧＭＰＬＳによってノード１５１〜１５４からチャネル設定情報を受信する。
【０１５５】
［ステップＳ２２］ＮＭ装置１６１は、例えば、記憶装置に記憶しているノード１５１〜１５４の接続関係に基づいて、ノード１５１〜１５４から受信したチャネル設定情報を、ＧＭＰＬＳによって上流のノード１５１〜１５４に送信する。
【０１５６】
なお、チャネル設定情報を受信したノード１５１〜１５４は、下流ノード情報記憶部にチャネル設定情報を記憶する。
このように、ＮＭ装置１６１は、ＧＭＰＬＳによりチャネル設定情報を上流のノードに通知することができる。
【符号の説明】
【０１５７】
１，２  ノード
１ａ  記憶部
１ｂ  判断部
１ｃ  制御部
１ｄ  ＯＡＤＭ
【図１】
0005505220.tif 000002
【図２】
0005505220.tif 000003
【図３】
0005505220.tif 000004
【図４】
0005505220.tif 000005
【図５】
0005505220.tif 000006
【図６】
0005505220.tif 000007
【図７】
0005505220.tif 000008
【図８】
0005505220.tif 000009
【図９】
0005505220.tif 000010
【図１０】
0005505220.tif 000011
【図１１】
0005505220.tif 000012
【図１２】
0005505220.tif 000013
【図１３】
0005505220.tif 000014
【図１４】
0005505220.tif 000015
【図１５】
0005505220.tif 000016
【図１６】
0005505220.tif 000017
【図１７】
0005505220.tif 000018
【図１８】
0005505220.tif 000019
【図１９】
0005505220.tif 000020
【図２０】
0005505220.tif 000021
【図２１】
0005505220.tif 000022
【図２２】
0005505220.tif 000023
【図２３】
0005505220.tif 000024
【図２４】
0005505220.tif 000025
【図２５】
0005505220.tif 000026
【図２６】
0005505220.tif 000027
【図２７】
0005505220.tif 000028
【図２８】
0005505220.tif 000029
【図２９】
0005505220.tif 000030
【図３０】
0005505220.tif 000031
【図３１】
0005505220.tif 000032